(57)【要約】【課題】この発明は、構成簡易にして、小型化及びズーム倍率比の向上を図り得、且つ、高精度な位置制御を実現し得るようにすることにある。【解決手段】カム軸１０に配されるレンズ駆動部材６０に、ガイド軸３２、３３、４２、４３を介して移動自在に配される一対のレンズ保持部材６６、６７に対向してそれぞれ回転規制部６２２、６３２を設けて、この回転規制部６２２、６３２を、レンズ保持部材６６、６７を挿通してガイド軸３２、４２に移動自在に摺接させ、この回転規制部６２２、６３２でレンズ駆動部材６０の回転を規制し、レンズ駆動部材６０の移動に連動してレンズ保持部材６６，６７をガイド軸３２、３３、４２、４３に沿って移動制御するように構成した。【選択図】    図１
2004219821.tif 000002
【特許請求の範囲】
【請求項１】
左右一対のレンズ系の各光軸に沿って配置される左右一対のガイド軸と、
前記左右一対のガイド軸の対称軸に対して平行に配置された円柱カムと、
前記円柱カムの回転により該円柱カムの軸方向に摺動するように嵌装された上下動部材と、
前記上下動部材に連動して前記左右のガイド軸に摺動可能に嵌装された左右のレンズ保持部材と、
前記上下動部材に形成され、前記円柱カムの回転影響を阻止する回転阻止部と、
前記レンズ保持部材の前記ガイド軸に嵌合する部位に形成された切り欠き部又は挿通部と、を備え、
前記回転阻止部を前記切り欠き部又は挿通部を通して前記ガイド軸に当接させることを特徴とする顕微鏡のレンズ駆動機構。
【請求項２】
左右一対のレンズ系の各光軸に沿って配置される左右一対のガイド軸と、
前記左右一対のガイド軸の対称軸に対して平行に配置された円柱カムと、
前記円柱カムの回転により該円柱カムの軸方向に摺動するように嵌装された上下動部材と、
前記上下動部材に連動して前記左右のガイド軸に摺動可能に嵌装された左右のレンズ保持部材と、
前記上下動部材に形成され、前記円柱カムの回転影響を阻止する回転阻止部と、
前記レンズ保持部材の前記ガイド軸に嵌合する部位に形成された切り欠き部又は挿通部と、を有し、前記回転阻止部を前記切り欠き部又は挿通部を通して前記ガイド軸に当接させるレンズ駆動機構を備えたことを特徴とする実体顕微鏡。
【発明の詳細な説明】
【０００１】
【発明の属する技術分野】
この発明は、ズームレンズを駆動する顕微鏡のレンズ駆動機構及び実体顕微鏡に関する。
【０００２】
【従来の技術】
一般に、実体顕微鏡においては、両眼を構成する一対のレンズ系のズームレンズをズーミングするレンズ駆動機構が配されている（特許文献１参照）。
【０００３】
このレンズ駆動機構は、図５及び図６に示すように円柱カムと称するカム軸１０がケース本体５０内に図示しないベアリング等を介して回転自在に配されている。このカム軸１０の外周壁にカム部を構成するカム溝１１が螺旋状に形成され、このカム溝１１には、上記カム軸１０に嵌装されたレンズ駆動部材２０の係合ピン２１が移動自在に係合される。このレンズ駆動部材２０には、互いに反対方向へ延びる２本の腕部２２，２３が設けられ、その先端にはそれぞれ溝部（ガイド孔）２２ａ，２３ａが形成されている。
【０００４】
また、上記ケース本体５０には、左右のレンズ系に対応してそれぞれ一対づつガイド軸３２、３３、４２、４３が光軸方向に延出して配される。このうちガイド軸３２、４２には、レンズ保持部材３０、４０の一端部が軸方向に移動自在に支持される。そして、レンズ保持部材３０、４０の他端は、ガイド軸３３、４３に移動自在に当接される。このレンズ保持部材３０、４０の間には、引張ばね６０が係着され、この引張ばね６０により、その他端が、ガイド軸３３、４３に当接する方向に付勢力が付与される。
【０００５】
そして、レンズ保持部材３０、４０の一端には、それぞれ雌ねじ３４、４４が形成され、この雌ねじ４４には、溝部２３ａを挿通させて頭部４５ａを有するピン４５のねじ部４５ｂが螺合される。ここで、レンズ保持部材４０には、その一端の雌ねじ４４の周囲部４６が、上記腕部２３の端面２３ｂに当接される。
【０００６】
また、他方の雌ねじ３４には、上記腕部２２の溝部２２ａを挿通させて頭部を有しないピン３５のねじ部３５ａが螺合され、このピン３５の円柱部３５ｂが腕部２２の端面２２ｃから若干突出されている。ここで、レンズ保持部材３０には、その他端の雌ねじ３４の周囲部３６が、上記レンズ駆動部材２０の腕部２２の端面２２ｂに当接される。
【０００７】
ここで、レンズ駆動部材２０は、一方の腕部２３の端面２３ｃにピン４５の頭部４５ａが当接されることにより、レンズ保持部材４０の当接部４６とピン４５の頭部４５ａとによってカム軸１０の回転時におけるカム軸１０周りの回転が規制される。同時に、レンズ駆動部材２０は、その他方の腕部２２の端面２２ｂにレンズ保持部材３０の当接部３６が当接された状態で、ピン３５によってカム軸１０周りの回転が規制される。これにより、レンズ駆動部材２０は、カム軸１０周りの回転が規制された状態で、カム軸１０に沿って上下動される。
【０００８】
ところが、上記レンズ駆動機構では、レンズ駆動部材２０とレンズ保持部材３０、４０とを常に当接させて、レンズ駆動部材２０の回転を規制する構成のために、レンズ保持部材３０、４０が、レンズ駆動部材２０のカム軸１０周りの回転の影響を受けている。このため、光軸に対し高精度な位置精度が要求されるレンズ保持部材３０、４０の高精度な位置制御に悪影響を及ぼすという不都合を有する。
【０００９】
そこで、上記レンズ駆動機構においては、図７及び図８に示すようにレンズ系の光軸方向の移動影響を防止するように構成されたものが開発されている。但し、この図７及び図８においては、上記図５及び図６の構成と同一に配されるカム軸１０及びガイド軸３２、３３、４２、４３について同一符号を付して、その説明を省略する。そして、図７及び図８の説明では、左右のレンズ系が略同様に構成されることで、便宜上、一方のレンズ系を配するガイド軸４２、４３のレンズ保持部材４０の構成について代表して説明する。
【００１０】
即ち、上記レンズ駆動部材２０には、一対の回転止め部２０１、２０２が上記一対の腕部２２、２３に軸方向に略平行に移動させた位置に設けられ、この一対の回転止め部２０１、２０２は、上記ガイド軸３２、４２に軸方向に移動自在に当接される。
【００１１】
そして、上記ガイド軸３２、３３及び４２、４３には、それぞれ左右一対のレンズ保持部材３０、４０が磁石部材４０１（図の都合上、レンズ保持部材４０側のみを図示）を介して軸方向に移動自在に架設される。このレンズ保持部材４０には、それぞれ案内ピン３０２、４０２がレンズ駆動部材２０の腕部２２、２３に対向して設けられ、この案内ピン３０２、４０２は、レンズ駆動部材２０の腕部２２、２３の溝部２２ａ，２３ａに挿入される。
【００１２】
上記構成により、レンズ駆動部材２０は、そのカム軸方向の移動に連動して腕部２２、２３を介してレンズ保持部材３０、４０をガイド軸３２、３３、４２、４３に沿って移動案内する。この際、レンズ駆動部材２０は、その回転止め部２０１、２０２がガイド軸３２、４２に当接して軸方向に移動され、カム軸１０の回転に伴う回転が規制される。これにより、レンズ保持部材３０、４０は、レンズ駆動部材２０からの回転力の影響を受けることなくガイド軸３２、３３、４２、４３に沿って移動案内される。
【００１３】
しかしながら、上記レンズ駆動機構では、レンズ駆動部材２０にガイド軸３２、４２に当接する回転止め部２０１、２０２を設けて回転規制を行うために、レンズ駆動部材２０の軸方向の形状を大きくしなけらばならない。このため、他のレンズ群のレンズ駆動配部材との間隔が小さくなり、レンズ駆動部材２０の駆動距離を長くすることができず、ズーム倍率比の向上が困難となる。
【００１４】
また、このような機構でズーム倍率比を向上させる場合、レンズ駆動部材２０の駆動距離を長くするため、レンズ保持部材３０、４０のガイド軸３２、４２に当接する部分の軸方向の長さを短くしなければならず、レンズの傾き、位置精度を抑えることができない。
【００１５】
以上のように、上記レンズ駆動機構では、限られたスペースの中でズーム倍率比の向上とレンズ位置精度の向上を両立することができない。
【００１６】
これらの問題に対し、顕微鏡自体を大形化して解決する方法もあるが、実体顕微鏡の場合、ワイヤーボンダー装置や、測定器の内部に配置されるために、ズーム倍率比を向上するためだけに大形化するという選択肢は通常ありえない。
【００１７】
【特許文献１】
特開平１１−１７４３３７号
【００１８】
【発明が解決しようとする課題】
以上述べたように、従来のレンズ駆動機構では、位置制御の高精度化を図るのが困難なものであったり、あるいは大型となるという不都合を有する。
【００１９】
この発明は上記の事情に鑑みてなされたもので、構成簡易にして、小型化及びズーム倍率比の向上を図り得、且つ、高精度な位置制御を実現し得るようにした顕微鏡のレンズ駆動機構及び実体顕微鏡を提供することを目的とする。
【００２０】
【課題を解決するための手段】
この発明は、左右一対のレンズ系の各光軸に沿って配置される左右一対のガイド軸と、前記左右一対のガイド軸の対称軸に対して平行に配置された円柱カムと、前記円柱カムの回転により該円柱カムの軸方向に摺動するように嵌装された上下動部材と、前記上下動部材に連動して前記左右のガイド軸に摺動可能に嵌装された左右のレンズ保持部材と、前記上下動部材に形成され、前記円柱カムの回転影響を阻止する回転阻止部と、前記レンズ保持部材の前記ガイド軸に嵌合する部位に形成された切り欠き部又は挿通部と、を備え、前記回転阻止部を前記切り欠き部又は挿通部を通して前記ガイド軸に当接させて顕微鏡のレンズ駆動機構を構成した。
【００２１】
上記構成によれば、上下動部材は、円柱カムが回転されると、上下動される。同時に、レンズ保持部材は、その回転阻止部により、円柱カムの回転影響が阻止され、円柱カムの軸方向に直線移動される。これにより、上下動部材及びレンズ保持部材の嵌合長を、高精度な移動制御に適した十分な長さ寸法に設定したうえで、小型化が確保され、しかも、レンズ保持部材へのカム軸の回転力の付与を確実に防止することができて、高精度な位置制御が可能となる。
【００２２】
【発明の実施の形態】
以下、この発明の実施の形態について、図面を参照して詳細に説明する。
【００２３】
図１及び図２は、この発明の一実施の形態に係る顕微鏡のレンズ駆動機構を実体顕微鏡に適用した場合を示すもので、図１は外観を斜め上方向から見た状態を示し、図２は、側面から見た状態を示す。
【００２４】
但し、図１においては、前記図５及び図６と略同様にレンズ系が組付けられるカム軸１０及びガイド軸３２、３３、４２、４３がケース本体５０内に立設配置されることで、同一部分について同一符号を付して、その詳細な説明を省略する。そして、図１及び図２の説明においては、左右のレンズ系が略同様に構成されることで、便宜上、一方のレンズ系を配するガイド軸４２、４３のレンズ保持構成について代表して説明する。
【００２５】
即ち、上記カム軸１０には、上下動部材であるレンズ駆動部材６０が軸方向に移動自在に嵌装され、レンズ駆動部材６０には、係合ピン６１がカム溝に対して駆動自在に係合される。
【００２６】
レンズ駆動部材６０には、一対の腕部６２、６３がカム軸１０を挟んで延出して設けられ、この腕部６２、６３には、挿通孔６２１、６３１が設けられる。また、腕部６２、６３には、そのガイド軸３２、４２に対向する一方面に回転影響を阻止するための回転阻止部である回転規制部６２２、６３２がそれぞれ突出して設けられる。
【００２７】
上記ガイド軸３２、３３と４２、４３との間には、レンズ６４、６５が配された一対のレンズ保持部材６６、６７が架設されれる。この一対のレンズ保持部材６６、６７の一端には、それぞれ嵌合部６６１、６７１が設けられ、この嵌合部６６１、６７１がガイド軸３２、４２に移動自在に嵌装される。
【００２８】
また、嵌合部６６１、６７１には、挿通部（切り欠き部）を構成する挿通孔６６２、６７２が設けられ、この挿通孔６６２、６７２を通してガイド軸３２、４２の周壁が露出される。そして、この嵌合部６６１、６７１の挿通孔６６２、６７２には、上記レンズ駆動部材６０の腕部６２，６３の回転規制部６２２、６３２が挿通されて、該回転規制部６２２、６３２の先端がガイド軸３２、４２の周壁に摺動自在に当接される。
【００２９】
上記レンズ保持部材６６、６７の他端には、係合部６７３（図２参照、図の都合上、一方のレンズ保持部材６７側のみを図示、レンズ保持部材６６側を図示せず）が突出して設けられ、この係合部６７３は、ガイド軸４３に摺接自在に当接される。
【００３０】
さらに、レンズ保持部材６６、６７の嵌合部６６１、６７１には、案内突部６６４、６７４がそれぞれ螺子構造等により突出されて取り付けられ、この案内突部６６４、６７４は、上記レンズ駆動部材６０の腕部６２、６３の挿通孔６２１、６３１に挿通される。そして、この案内突部６６４、６７４には、その先端部に係止溝６６５、６７５が設けられる。この各係止溝６６５、６７５には、ばね部材６８の端部がそれぞれ上記係合部（図の都合上、図示せず）６７３がガイド軸３３、４３に当接する方向に付勢力を付与するように係着される。
【００３１】
このばね部材６８は、例えばその略中央部がレンズ駆動部材６０に設けられたばね掛け部６０１に係着され、その両端部が上記案内突部６６４、６７４の係止溝６６５、６７５に係着される。
【００３２】
上記構成において、カム軸１０が回転駆動されると、レンズ駆動部材６０は、回転規制部６２２，６３２がガイド軸３２、４２に当接された状態で、その係合ピン（図の都合上、図示せず）、６７３に対してカム軸１０のカム溝１１により回転力が付与される。
【００３３】
ここで、レンズ駆動部材６０は、回転規制部６２２、６３２の側壁がレンズ保持部材６６、６７の嵌合部６６１、６７１の挿通孔６６２、６７２を挿通してガイド軸３２、４２の側壁に当接されて、その回転が規制される。これにより、レンズ駆動部材６０は、その係合ピン６１がカム軸１０のカム溝１１に案内されてカム軸１０上を軸方向に直線移動される。
【００３４】
この直線移動に連動して、レンズ駆動部材６０は、その腕部６２、６３の挿通孔６２１、６３１に挿入されたレンズ保持部材６６、６７の案内突部６６４、６７４を同方向に移動付勢する。
【００３５】
ここで、レンズ保持部材６６、６７は、その案内突部６６４、６７４に係着されたばね部材６８により、該案内突部６６４、６７４が腕部６２、６３の挿通孔６２１、６３１に一体的に係合され、且つその係合部（図の都合上、図示せず）、６７３がガイド軸３３，４３に当接する方向に付勢されていることにより、所望の姿勢が保たれる。これにより、レンズ保持部材６６、６７は、レンズ駆動部材６０の直線移動に連動して該レンズ駆動部材に６０よりガイド軸３２、３３、４２、４３に沿って移動付勢され、そのレンズ６４、６５を光軸方向に移動制御する。
【００３６】
このように、上記顕微鏡のレンズ駆動機構は、カム軸１０に配されるレンズ駆動部材６０に、ガイド軸３２、３３、４２、４３を介して移動自在に配される一対のレンズ保持部材６６、６７に対向してそれぞれ回転規制部６２２、６３２を設けて、この回転規制部６２２、６３２を、レンズ保持部材６６，６７を挿通してガイド軸３２、４２に移動自在に摺接させ、この回転規制部６２２、６３２でレンズ駆動部材６０の回転を規制し、レンズ駆動部材６０の移動に連動してレンズ保持部材６６，６７をガイド軸３２、３３、４２、４３に沿って移動制御するように構成した。
【００３７】
これによれば、レンズ駆動部材６０は、カム軸１０が回転駆動されると、回転規制部６２２、６３２の側壁がレンズ保持部材６６、６７を挿通してガイド軸３２、４２に当接され、その回転が規制され、直線移動される。
【００３８】
この結果、レンズ駆動部材６０及びレンズ保持部材６６、６７の嵌合長を、高精度な移動制御に適する十分な長さ寸法に設定したうえで、小型化が確保され、しかも、レンズ保持部材６６、６７へのカム軸１０の回転力の付与を確実に防止することができて、高精度な位置制御が実現される。
【００３９】
また、これにより、光軸方向の寸法を最小限に設定することが可能となり、例えば異なるレンズ群を保持するレンズ駆動部材６０との配置間隔を大きく採ることができるため、小型化を確保したうえで、ズーム倍率の高倍化設計を容易に実現することが可能となる。
【００４０】
さらに、これによれば、ガイド軸３２、４２の位置精度を高精度に設定することにより、回転規制部６２２、６３２の当接面とガイド軸３２、４２とのクリアランスを最小限に設定するが可能となるため、レンズ保持部材６６、６７の位置調整の高精度化を容易に図ることができる。
【００４１】
また、この発明は、上記実施の形態に限ることなく、例えば図３及び図４に示すように構成することも可能で、同様の効果が期待される。但し、この図３及び図４においては、上記図１及び図２の実施の形態と同一部分について同一符号を付して、その詳細な説明を省略する。
【００４２】
即ち、図３及び図４の実施の形態では、一対のレンズ保持部材６６、６７の嵌合部６６１、６７１の軸方向の下方に挿通部を構成する切欠き部６７６（但し、図３及び図４においては、上記図１及び図２と同様に、図の都合上、レンズ保持部材６７側のみを図示し、レンズ保持部材６６側については一部を図示）を形成する。
【００４３】
一方、レンズ駆動部材６０の腕部６２、６３の背面側には、回転規制部６３３（但し、図３及び図４においては、上記図１及び図２と同様に、図の都合上、一方のみを図示）をレンズ保持部材６６、６７の切欠き部（図示せず）、６７６に対向して突出させて形成する。そして、レンズ駆動部材６６、６７の腕部６２、６３の回転規制部（図示せず）、６３３は、レンズ保持部材６６、６７の切欠き部（図示せず）、６７６に挿通され、その先端部がガイド軸３２、４２に当接される。
【００４４】
上記構成により、レンズ駆動部材６０は、上述した実施の形態と同様にカム軸１０が回転駆動されると、その係合ピン６１がカム軸１０のカム溝１１に駆動されて回転力が付与される。同時に、レンズ駆動部材６０は、その回転規制部（図示せず）、６３３が、レンズ保持部材６６、６７の嵌合部６６１、６７１の切欠き部６７６を挿通してガイド軸３２、４２に移動自在に当接されることにより、回転が規制される。これにより、レンズ駆動部材６０は、その係合ピン６１がカム溝１１に案内されてカム軸１１に沿って直線移動される。
【００４５】
このレンズ駆動部材６０の直線移動に連動して同様にレンズ保持部材６６、６７は、ガイド軸３２、３３、４２、４３に沿って移動され、そのレンズ６４、６５を光軸方向に移動制御する。
【００４６】
また、上記実施の形態では、レンズ保持部材６６、６７をガイド軸３２、３３、４２、４３に対してばね部材６８を用いて移動自在に組付け配置するように構成した場合で説明したが、このレンズ保持部材６６、６７の移動構成としては、これに限ることなく、その他、各種の移動構造のものを用いて構成することが可能である。
【００４７】
さらに、上記実施の形態では、挿通部として挿通孔６６２、６７２あるいは切欠き部６７６（図の都合上、一方のみを図示）を形成するように構成した場合で説明したが、この挿通構造に限ることなく、構成可能である。
【００４８】
また、上記各実施の形態中では、レンズ保持部材の副ガイド軸当接部の当接方向が、外側から内側に向けて力が働いているが、それに限られるものでなく、逆でもよい、例えばレンズ保持部材の副ガイド軸当接部の当接方向が内側から外側に向けて働くようにしてもよい。併せて、ばね部材によりかかる力の向きも内側から外側に向けてかかるようにしてもよい。
【００４９】
そして、上記各実施の形態で説明した案内溝としては、長孔以外に切り欠いた溝を用いて構成してもよい。
【００５０】
さらに、上記各実施の形態では、実体顕微鏡に適用した場合で説明してきたが、これに限ることなく、その他、ズーム光学系を備えた顕微鏡に適用しても、略同様の効果が期待される。
【００５１】
よって、この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【００５２】
例えば各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００５３】
また、この発明は、
左右一対のレンズ系の各光軸に沿って配置される左右一対の主ガイド軸と、
前記左右一対のレンズ系の各光軸に沿い、且つ前記主ガイド軸に平行に配置される左右一対の副ガイド軸と、
前記左右一対の主ガイド軸の中間部に前記各光軸に沿った方向に回転可能に立設され、且つカム部が設けられた円柱カムと、
前記円柱カムのカム部により前記円柱カムの軸方向に移動可能に構成され、前記左右一対の主ガイド軸に平行な腕部を左右に有した上下動部材と、
前記左右一対の主ガイド軸に夫々摺動自在に保持され、前記左右一対のレンズ系を構成するレンズが設けられる一対のレンズ保持部材と、
を有した顕微鏡のレンズ駆動機構において、
前記上下動部材の腕部に形成され、前記円柱カムの回転影響を阻止する回転阻止部と、
前記レンズ保持部材の前記主ガイド軸に嵌合する部位に形成された切り欠き部又は挿通部と、を備え、
前記回転阻止部を前記切り欠き部又は挿通部を通して前記ガイド軸に当接させることを特徴とする。
【００５４】
さらに、詳しくは、
前記上下動部材の腕部は、
前記円柱カムの軸方向に直交する方向に夫々形成され、前記レンズ保持部材を軸方向に直交する方向に案内する案内溝と、
前記左右一対の主ガイド軸に夫々当接し、摺動自在に夫々設けられ、前記円柱カムの回転の影響を阻止する回転阻止部と、
前記レンズ保持部材を前記副ガイド軸に当接させる力を発するばね部材と、
を備えており、
前記レンズ保持部材は、
前記レンズ保持部材を保持する前記主ガイド軸を中心に、前記レンズ保持部材を前記副ガイド軸に当接する副ガイド軸当接部、
前記腕部の案内溝に案内され、前記レンズ保持部材を保持する前記主ガイド軸を中心に、前記ばね部材による力を前記副ガイド軸当接部に伝えるばね部材当接部と、
前記主ガイド軸に摺動自在に嵌合する部位に、前記腕部の前記回転阻止部が当接するように形成された切り欠き部又は挿通部と、
を備えている。
【００５５】
【発明の効果】
以上詳述したように、この発明によれば、構成簡易にして、小型化及びズーム倍率比の向上を図り得、且つ、高精度な位置制御を実現し得るようにした顕微鏡のレンズ駆動機構及び実体顕微鏡を提供することができる。
【図面の簡単な説明】
【図１】この発明の一実施の形態に係る顕微鏡のレンズ駆動機構を適用した実体顕微鏡の要部を示した斜視図である。
【図２】図１を側面から見た状態を示した平面図である。
【図３】この発明の他の実施の形態に係る顕微鏡のレンズ駆動機構の要部を示した斜視図である。
【図４】図３を側面から見た状態を示した平面図である。
【図５】従来のレンズ駆動機構の要部を取り出して示した断面図である。
【図６】図５を側面から見た状態を示した構成図である
【図７】従来のレンズ駆動機構の要部を示した斜視図である
【図８】図７を側面から見た状態を示した平面図である。
【符号の説明】
１０  …  カム軸
１１  …  カム溝
３２、３３、４２、４３  …  ガイド軸
６０  …  レンズ駆動部材
６１  …  係合ピン
６２、６３  …  腕部
６２１、６３１  …  挿通孔
６２２、６３２  …  回転規制部
６４、６５  …  レンズ
６６、６７  …  レンズ保持部材
６６１、６７１  …  嵌合部
６６２、６７２  …  挿通孔
６７３  …  係合部
６６４、６７４  案内突部
６６５、６７５  …  係止溝
６８  …  ばね部材
６７６  …  切欠き部
６３３  …  回転規制部
【図１】
2004219821.tif 000003
【図２】
2004219821.tif 000004
【図３】
2004219821.tif 000005
【図４】
2004219821.tif 000006
【図５】
2004219821.tif 000007
【図６】
2004219821.tif 000008
【図７】
2004219821.tif 000009
【図８】
2004219821.tif 000010